【事件の表示】
　特願２０１５−２３２７５３号「遊技機」拒絶査定不服審判事件〔平成２９年　６月　８日出願公開、特開２０１７−　９９４４２号〕について、次のとおり審決する。
【結　論】
　本件審判の請求は、成り立たない。
【理　由】
第１　手続の経緯　
　本願は、平成２７年１１月３０日の出願であって、平成２９年８月２日付けで拒絶の理由が通知され、同年１０月６日に意見書及び手続補正書が提出され、平成３０年３月１３日付けで最後の拒絶の理由が通知され、同年５月１４日に意見書及び手続補正書が提出されたところ、同年１０月１０日付けで、同年５月１４日付け手続補正が却下されるとともに拒絶査定（以下「原査定」という。）がなされ、それに対して、同年１２月２８日に拒絶査定不服審判の請求がなされると同時に手続補正書（以下、この手続補正書による補正を「本件補正」という。）が提出されたものである。
　なお、審判請求人は、平成３１年４月２４日に、平成３１年３月１８日作成の特許法第１６４条第３項の規定に基づく報告（前置報告）に対する意見を記載した上申書（以下、単に「上申書」という。）を提出している。
 第２　本件補正についての補正の却下の決定　
 〔補正の却下の決定の結論〕
　本件補正を却下する。
　
 〔理由〕　
１　本件補正の概要
（１）本件補正は、
　平成２９年１０月６日に提出された手続補正書によって補正された本件補正前の請求項１に、
「ＬＥＤを有する一括表示装置を前面側に備え、ダイナミック点灯制御により前記ＬＥＤの点灯制御をおこなう遊技機であって、
　前記一括表示装置は、
　第１のタイミングで点灯態様を更新可能な第１のＬＥＤブロックと、前記第１のタイミングと異なる第２のタイミングで点灯態様を更新可能な第２のＬＥＤブロックとを含み、
　変動表示ゲームの図柄表示をおこなう図柄表示ＬＥＤを前記第１のＬＥＤブロックに配置し、前記変動表示ゲームの保留表示をおこなう保留表示ＬＥＤを前記第２のＬＥＤブロックに配置し、
　前記図柄表示ＬＥＤを構成するすべてのＬＥＤが変動表示中においていずれかのタイミングで点灯する、
　遊技機。」とあったものを、
「ＬＥＤを有する一括表示装置を前面側に備え、ダイナミック点灯制御により前記ＬＥＤの点灯制御をおこなう遊技機であって、
　前記一括表示装置は、
　第１のタイミングで点灯態様を更新可能な第１のＬＥＤブロックと、前記第１のタイミングと異なる第２のタイミングで点灯態様を更新可能な第２のＬＥＤブロックとを含み、
　変動表示ゲームの図柄表示をおこなう図柄表示ＬＥＤを前記第１のＬＥＤブロックに配置し、前記変動表示ゲームの保留表示をおこなう保留表示ＬＥＤを前記第２のＬＥＤブロックに配置し、
　前記図柄表示ＬＥＤを構成するすべてのＬＥＤが変動表示中において
、前記すべてのＬＥＤのうち全部のＬＥＤの同時点灯を除く複数のＬＥＤの同時点灯の２以上の組合せを含む点灯パターンにより、前記すべてのＬＥＤが１つずつ点灯するよりも短い時間内の
態様を変更
　遊技機。」
と補正するものである（下線は、補正前後の箇所を明示するために合議体が付した）。
（２）本件補正後の請求項１に係る上記（１）の補正は、次の補正事項からなる。
　本件補正前の請求項１に「前記図柄表示ＬＥＤを構成するすべてのＬＥＤが変動表示中においていずれかのタイミングで点灯する」とあったものを、「前記図柄表示ＬＥＤを構成するすべてのＬＥＤが変動表示中において、前記すべてのＬＥＤのうち全部のＬＥＤの同時点灯を除く複数のＬＥＤの同時点灯の２以上の組合せを含む点灯パターンにより、前記すべてのＬＥＤが１つずつ点灯するよりも短い時間内のいずれかのタイミングで点灯態様を変更する」とする補正。
２　本件補正の目的
（１）上記１（２）の補正は、願書に最初に添付された特許請求の範囲、明細書及び図面（以下「当初明細書等」という。）の【０６２８】ないし【０６３０】、図１０５等の記載に基づいて、本件補正前の請求項１において記載されていた「前記図柄表示ＬＥＤを構成するすべてのＬＥＤが・・・点灯する」ことを、「前記すべてのＬＥＤのうち全部のＬＥＤの同時点灯を除く複数のＬＥＤの同時点灯の２以上の組合せを含む点灯パターンにより」「点灯態様を変更する」ことに限定するとともに、その「点灯態様を変更する」時期的要件について、本件補正前の請求項１において記載されていた「変動表示中においていずれかのタイミング」を、「変動表示中において・・・前記すべてのＬＥＤが１つずつ点灯するよりも短い時間内のいずれかのタイミング」に限定するものである。
（２）以上のとおり、本件補正後の請求項１に係る上記１（２）の補正は、新規事項を追加するものではないから、特許法第１７条の２第３項に規定する要件を満たす。また、本件補正後の請求項１に係る上記１（２）の補正は、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
３　独立特許要件について
　そこで、本件補正後の請求項１に記載された発明（以下「本願補正発明」という。）が、特許法第１７条の２第６項において準用する同法第１２６条第７項の規定に適合するか、すなわち、特許出願の際独立して特許を受けることができるものであるか、について以下に検討する。
（１）本願補正発明
　本願補正発明を再掲すると、次のとおりのものである。なお、記号ＡないしＨは、分説するため合議体が付した。
「Ａ　ＬＥＤを有する一括表示装置を前面側に備え、
　Ｂ　ダイナミック点灯制御により前記ＬＥＤの点灯制御をおこなう
　Ｃ　遊技機であって、
　Ａ　前記一括表示装置は、
　Ｄ　第１のタイミングで点灯態様を更新可能な第１のＬＥＤブロックと、
　Ｅ　前記第１のタイミングと異なる第２のタイミングで点灯態様を更新可能な第２のＬＥＤブロックとを含み、
　Ｆ　変動表示ゲームの図柄表示をおこなう図柄表示ＬＥＤを前記第１のＬＥＤブロックに配置し、
　Ｇ　前記変動表示ゲームの保留表示をおこなう保留表示ＬＥＤを前記第２のＬＥＤブロックに配置し、
　Ｈ　前記図柄表示ＬＥＤを構成するすべてのＬＥＤが変動表示中において、前記すべてのＬＥＤのうち全部のＬＥＤの同時点灯を除く複数のＬＥＤの同時点灯の２以上の組合せを含む点灯パターンにより、前記すべてのＬＥＤが１つずつ点灯するよりも短い時間内のいずれかのタイミングで点灯態様を変更する、
　Ｃ　遊技機。」
（２）引用例
　原査定の拒絶の理由に引用文献１として引用され、本願出願日前に頒布され又は電気通信回線を通じて公衆に利用可能となった特開２０１３−１５３８８７号公報（平成２５年８月１５日出願公開、以下「引用例」という。）には、パチンコ遊技機に関し、次の事項が図面とともに記載されている（下線は引用発明等の認定に関連する箇所を明示するために合議体が付した。以下同様）。
　ア　「【技術分野】
【０００１】
　本発明は、発光ダイオード（ＬＥＤ）を用いて特別図柄の変動表示動作と保留数表示を行う弾球遊技球に関する。
　　・・・略・・・
【００１９】
　＜１．構成の概要：図１および図２＞
　図１および図２を参照して、本発明の一実施形態に係る
パチンコ遊技機
　　・・・略・・・
【０５０５】
　＜１６．各種機能表示部：図２、図５＞
　（１６−１．ＬＥＤによる構造：図５１）
　再び図２を参照して、
遊技盤の非遊技領域、ここでは遊技盤３の右上縁付近には、接近して設けられた複数個のＬＥＤにより構成される各種機能表示部が設けられている。
【０５０６】
　なお、特別図柄表示装置３８ａ、３８ｂ、保留複合表示装置３８ｃおよび普図・ラウンド表示ブロック３９は、遊技盤の非遊技領域に互いに接近して集約的に配置されるが、その相互の配置関係や非遊技領域での配設場所は自由である。たとえば、図５１（イ）の配置関係全体を紙面内で１８０°回転させた姿の配置関係に変更し、これを遊技盤３内の右下の非遊技領域や中央の非遊技領域に配設することもできる。
【０５０７】
　また遊技盤の非遊技領域とは、この実施形態では遊技盤３の右上片隅部であるが、遊技盤の中央に非遊技領域が形成され、それを取り巻くように遊技領域が形成され、さらにその遊技領域の外側に非遊技領域が形成されている場合は、その遊技領域の内側に形成された非遊技領域または遊技領域の外側に形成された非遊技領域のいずれに各種機能表示部を形成しても良い。
【０５０８】
　上記特別図柄表示装置３８ａ、３８ｂおよび保留複合表示装置３８ｃは、７セグメント表示器、正確には７セグメントＬＥＤ表示器（ドット付）からなる。そこで、以下、この３個の７セグメントＬＥＤ表示器を、特図１表示用ＬＥＤ表示器３８ａ、特図２表示用ＬＥＤ表示器３８ｂおよび保留複合表示用ＬＥＤ表示器３８ｃとも称する。ダイナミック駆動制御上の走査対象として、
特図１表示用ＬＥＤ表示器３８ａを構成するＬＥＤ群
特図２表示用ＬＥＤ表示器３８ｂを構成するＬＥＤ群
保留複合表示用ＬＥＤ表示器３８ｃを構成するＬＥＤ群
【０５０９】
　上記特図１表示用ＬＥＤ表示器３８ａ、特図２表示用ＬＥＤ表示器３８ｂおよび保留複合表示用ＬＥＤ表示器３８ｃを構成する７セグメントＬＥＤ表示器は、図５１（ロ）に示すように、それぞれ８の字状に配置された７つのＬＥＤセグメント（向かって右回りにＡ〜Ｆおよび中央のＧ）と、８番目のＬＥＤセグメントである１つのドットＤＰとで構成されている。そして、各ＬＥＤセグメントＡ〜ＧおよびＤＰにそれらを個別に活性化するためのデータ信号（図６３のダイナミック点灯データＤｎ（Ｄ０〜Ｄ７））が加えられ、かつ、各７セグメントＬＥＤ表示器のコモン（図５２のアノードコモンＣＯＭ、ＤＰ−Ａ）に加えられる走査信号（図５２のダイナミック点灯コモンＣ０〜Ｃ３）によって、該当する７セグメントＬＥＤ表示器が選択的に駆動されることにより、該当する７セグメントＬＥＤ表示器のＬＥＤセグメントに電流が流れて発光する。このように、上記３つのＬＥＤ表示器３８ａ、３８ｂおよび３８ｃは、走査信号によってＬＥＤ表示器の点灯を順次切り換えて行くダイナミック駆動方式によって駆動され、ダイナミック点灯表示される。なお、この実施形態の場合、特別図柄表示装置３８ａ、３８ｂおよび保留複合表示装置３８ｃを構成する７セグメントＬＥＤ表示器として内部回路構成がアノードコモンのものを用いているが、この替わりに内部回路構成がカソードコモンの７セグメントＬＥＤ表示器を用いることもできる。
　　・・・略・・・
【０５１４】
　（１６−３．特別図柄表示用ＬＥＤ表示器３８ａ、３８ｂの表示機能：図５３）
　
特別図柄表示用ＬＥＤ表示器３８ａ、３８ｂは
特別図柄変動表示ゲームにおいて
特別図柄を
停止表示する
【０５１５】
　図５３は、この特別図柄表示の変動中の表示態様と変動停止中（停止時）の表示態様を作り出すために特別図柄表示用ＬＥＤ表示データテーブルを切り替える切替方式（特別図柄表示の表示切替態様）を略示したものである。ここでは、特別図柄表示用ＬＥＤ表示データテーブルにＡ、Ｂの二種類を用意する実施形態について説明する。
【０５１６】
　図５３では、説明を簡単にするため、特別図柄表示用ＬＥＤ表示データテーブルＡには、「−」、「−」、「１」、「２」、「３」・・・の各停止図柄表示データが０番地から順次記憶されており、また特別図柄表示用ＬＥＤ表示データテーブルＢには、「・」、「−」、「１」、「２」、「３」・・・の図柄の表示データが０番地から順次記憶されているものとする。ここで「・」はハズレＡ図柄、「−」はハズレＢ図柄であり、「１」、「２」、「３」・・・は当り図柄である。ハズレＡ図柄「・」、ハズレＢ図柄「−」は、その停止表示データが変動中表示データとして用いられる。なお実際には、図６２に示すように、停止図柄にはハズレＡ、Ｂ、Ｃの３種類があるが、ここではハズレＡ、Ｂに対応する停止図柄「・」「−」の停止図柄データが、特別図柄表示用ＬＥＤ表示データテーブルＡ、Ｂのそれぞれ０番地に変動表示用データとして格納されている。そしてハズレＣに対応する停止図柄データが、特別図柄表示用ＬＥＤ表示データテーブルＡ、Ｂのそれぞれ１番地に格納されており、ハズレが１種類の場合であるとして示している。
【０５１７】
　特別図柄の「変動中」の場合つまり変動表示中の期間には、特別図柄表示用ＬＥＤ表示データテーブルＡ、Ｂにおける０番地の「−」と「・」の図柄の表示データを交互に１２８ｍｓ間隔で切り替えることにより、変動中を示す点滅表示を行わせる。また「ハズレ」の場合の特別図柄の停止時には、特別図柄表示用ＬＥＤ表示データテーブルＡ、Ｂの次の１番地における「−」と「−」の図柄の表示データを交互に１２８ｍｓ間隔で切り替えることにより、「−」の図柄を継続的に点灯表示させる。また当りの場合、たとえば図５３に例示する「当り１」の場合の特別図柄の停止時には、特別図柄表示用ＬＥＤ表示データテーブルＡ、Ｂの２番地における「１」と「１」の図柄の表示データを交互に１２８ｍｓ間隔で切り替えることにより、特別図柄として「１」の図柄を継続的に点灯表示させる。同様にして、当り２、当り３・・の場合の特別図柄の停止時には、特別図柄表示用ＬＥＤ表示データテーブルＡ、Ｂの３番地、４番地・・における「２」と「２」、「３」と「３」・・の図柄の表示データを交互に１２８ｍｓ間隔で切り替えることにより、特別図柄として、たとえば「２」「３」・・等の図柄を継続的に点灯表示させる。
【０５１８】
　上記した特別図柄が継続的に点灯表示している期間、つまり特別図柄が停止表示してから次の図柄変動表示動作が開始されるまでの時間長さは、本実施形態の場合、特別図柄表示の点滅周期１２８ｍｓより２倍以上長い５００ｍｓとしている。そこで特別図柄の表示態様は、その点滅周期１２８ｍｓより２倍以上長い５００ｍｓの停止状態を維持した後、次の図柄変動表示動作が開始されることになる。そのため、特別図柄の表示が変動停止中なのか変動中なのかが容易に認識することができる。
【０５１９】
　（１６−４．保留複合表示用ＬＥＤ表示器３８ｃの表示機能：図５４）
　図５４（イ）〜（ホ）は、保留複合表示用ＬＥＤ表示器３８ｃのセグメントの種類（配置位置）と発光パターンの種別とにより識別される５つの表示機能を個別に示したものである。
【０５２０】
　図５４（イ）は特別図柄１作動保留球数の表示（特図１保留表示）機能を示している。この例の場合、
保留複合表示用ＬＥＤ表示器３８ｃは
特別図柄１作動保留球数の表示がなされる
【０５２１】
　具体的には、図５４（イ）に示すように、作動保留球数が１個（保留１）の場合は、左セグメントＦ（特図１用保留ＬＥＤ１）が１個だけ点滅している保留表示態様（第１の保留表示態様：左セグメントＦ＝点滅、下セグメントＧ＝消灯）となる。また、作動保留球数２個（保留２）の場合は、左と下のセグメントＦ、Ｇ（特図１用保留ＬＥＤ１と特図１用保留ＬＥＤ２）が共に点滅している保留表示態様（第２の保留表示態様：左セグメントＦ＝下セグメントＧ＝点滅）となる。また、作動保留球数３個（保留３）の場合は左セグメントＦ（特図１用保留ＬＥＤ１）が点灯で、下セグメントＧ（特図１用保留ＬＥＤ２）が点滅している保留表示態様（第３の保留表示態様：左セグメントＦ＝点灯、下セグメントＧ＝点滅）となる。そして、作動保留球数４個（保留４）の場合は左と下のセグメントＦ、Ｇ（特図１用保留ＬＥＤ１と特図１用保留ＬＥＤ２）が共に点灯している保留表示態様（第４の保留表示態様：左セグメントＦ＝下セグメントＧ＝点灯）となる。
【０５２２】
　また、図５４（ロ）は特別図柄２作動保留球数の表示（特図２保留表示）機能を示している。この例の場合、
保留複合表示用ＬＥＤ表示器３８ｃは
特別図柄２の作動保留球数が表示される
【０５２３】
　具体的には、図５４（ロ）に示すように、作動保留球数１個（保留１）の場合は、上セグメントＡ（特図２用保留ＬＥＤ１）が１個だけ点滅している保留表示態様（第１の保留表示態様：上セグメントＡ＝点滅、右セグメントＢ＝消灯）となる。また、作動保留球数２個（保留２）の場合は、上と右のセグメントＡ、Ｂ（特図２用保留ＬＥＤ１と特図２用保留ＬＥＤ２）が共に点滅している保留表示態様（第２の保留表示態様：上セグメントＡ＝右セグメントＢ＝点滅）となる。また、作動保留球数３個（保留３）の場合は、上セグメントＡ（特図２用保留ＬＥＤ１）が点灯で、右セグメントＢ（特図２用保留ＬＥＤ２）が点滅している保留表示態様（第３の保留表示態様：上セグメントＡ＝点灯、右セグメントＢ＝点滅）となる。そして、作動保留球数４個（保留４）の場合は、上と右のセグメントＡ、Ｂ（特図２用保留ＬＥＤ１と特図２用保留ＬＥＤ２）が共に点灯している保留表示態様（第４の保留表示態様：上セグメントＡ＝右セグメントＢ＝点灯）となる。
【０５２４】
　また、図５４（ハ）は普通図柄の作動保留球数の表示（普図保留表示）機能を示している。この例の場合、保留複合表示用ＬＥＤ表示器３８ｃは、８字状配置７セグメントの下側のＵ字状に配置された３つのセグメントＣＤＥのうち、「左」と「右」に配置された２つのセグメントＣ、Ｅ（普図用保留ＬＥＤ１と普図用保留ＬＥＤ２）の点灯と点滅の組合せによる表示態様により、普通図柄の作動保留球数が表示される。
【０５２５】
　具体的には、図５４（ハ）に示すように、作動保留球数１個（保留１）の場合は、右セグメントＣ（普図用保留ＬＥＤ１）が１個だけ点滅している保留表示態様（第１の保留表示態様：右セグメントＣ＝点滅、左セグメントＥ＝消灯）となる。また、作動保留球数２個（保留２）の場合は、右と左のセグメントＣ、Ｅ（普図用保留ＬＥＤ１と普図用保留ＬＥＤ２）が共に点滅している保留表示態様（第２の保留表示態様：右セグメントＣ＝左セグメントＥ＝点滅）となる。また、作動保留球数３個（保留３）の場合は、右セグメントＣ（普図用保留ＬＥＤ１）が点灯で、左セグメントＥ（普図用保留ＬＥＤ２）が点滅している保留表示態様（第３の保留表示態様：右セグメントＣ＝点灯、左セグメントＥ＝点滅）となる。そして、作動保留球数４個（保留４）の場合は、上と右のセグメントＡ、Ｂ（普図用保留ＬＥＤ１と普図用保留ＬＥＤ２）が共に点灯している保留表示態様（第４の保留表示態様：右セグメントＣ＝左セグメントＥ＝点灯）となる。
【０５２６】
　図５４（ニ）は変動時間短縮機能作動中（変動短縮中（時短中））を報知する表示機能を示している。この例の場合、保留複合表示用ＬＥＤ表示器３８ｃは、８字状配置７セグメントの下側のＵ字状に配置された３つのセグメントＣＤＥのうち、「下」に配置された１つのセグメントＤ（時短中報知ＬＥＤ１）が点灯しているか否かにより、変動時間短縮機能（変動短縮（時短）機能）が作動しているか否かを表示する。
【０５２７】
　図５４（ホ）は高確率状態中（高確中）を報知する表示機能を示している。この例の場合、保留複合表示用ＬＥＤ表示器３８ｃは、８番目のセグメントであるドットＤＰ（高確中報知ＬＥＤ）の点灯の有無により、遊技状態が高確率状態にあるか否かを表示する。このドットＤＰ（高確中報知ＬＥＤ）は、高確率状態下での電断復帰の場合に条件装置が作動するまで点灯し、電源断復旧時に確率変動機能作動中を報知する。
【０５２８】
　以上の作用を踏まえ、各種機能表示部の構成をＬＥＤを中心にして見ると、特図１表示用ＬＥＤ表示器３８ａ、特図２表示用ＬＥＤ表示器３８ｂは第１特別図柄および第２特別図柄の変動表示中に点滅表示される複数個のＬＥＤによりそれぞれ構成される。また保留複合表示用ＬＥＤ表示器３８ｃのＬＥＤセグメントＦ、ＧおよびＬＥＤセグメントＡ、Ｂは、それぞれ第１特別図柄保留数表示手段および第２特別図柄保留数表示手段として働く。そこで、第１特別図柄保留数表示手段および第２特別図柄保留数表示手段は、その発光パターンの点灯と点滅の組み合わせによって保留数に関する複数の遊技状態を表示する複数個のＬＥＤ（ＬＥＤセグメントＦ、ＧおよびＡ、Ｂ）によりそれぞれ構成されていることになる。
　　・・・略・・・
【０５４０】
　（１６−７．点滅周期の相違）
　上記した
特図１表示用ＬＥＤ表示器３８ａおよび特図２表示用ＬＥＤ表示器３８ｂと、保留複合表示用ＬＥＤ表示器３８ｃと
は
ダイナミック点灯駆動される
【０５４１】
　その際、上記
特図１表示用ＬＥＤ表示器３８ａおよび特図２表示用ＬＥＤ表示器３８ｂの点滅周期と、保留複合表示用ＬＥＤ表示器３８ｃの点滅周期とは互いに異なって
【０５４２】
　すなわち、遊技盤の非遊技領域に所定数接近して集約的に設けられ、遊技の進行を制御する主制御部により駆動制御される複数のＬＥＤ群（この実施形態では、表示器３８ａ、３８ｂ、３８ｃのＬＥＤセグメント群および普図・ラウンド表示ブロック３９のＬＥＤ群）により構成される各種機能表示部（図５１（イ））を有するので、一方においては、それらのＬＥＤうちで、たとえば点滅周期の速いＬＥＤセグメント群が存在することを認識できれば、それは特図１表示用ＬＥＤ表示器３８ａまたは特図２表示用ＬＥＤ表示器３８ｂのＬＥＤセグメントの点滅であって、そのＬＥＤセグメントの表示態様（図５３参照）から、特別図柄１、２が変動中であるか否かや変動停止した場合にどの図柄で停止したかを含む特別図柄の表示態様についての遷移状況が判る。他方においては、これとの比較において、点滅周期の遅いＬＥＤセグメント群（Ｆ、Ｇ、またはＡ、Ｂ）が存在することを認識できれば、それは保留個数表示系（保留複合表示用ＬＥＤ表示器３８ｃ）のＬＥＤセグメントの点滅であって、そのＬＥＤ表示態様（図５４（イ）（ロ）、図５６参照）から、特別１保留表示と当別２保留表示の区別、および特別図柄１、２についての保留個数の遷移状況、すなわち保留０〜保留４の間で保留個数表示が変化する様子が判る。
　　・・・略・・・
【０５６０】
　（１７−３．図柄表示データ作成処理：図５８）
　図５８は、上記特別図柄表示データ更新処理（図５７）中のステップＳ６３３とステップＳ６３６で呼び出されて使用される図柄表示データ作成処理（サブルーチン）の詳細を示したものである。この図柄表示データ作成処理は、特別図柄１の図柄表示データ作成処理（ステップＳ６３３）と特別図柄２の図柄表示データ作成処理（ステップＳ６３６）において、共通の処理モジュールとして利用される。なお、この図柄表示データ作成処理は、普通図柄についても共通の処理モジュールとして利用される。
【０５６１】
　図５８の図柄表示データ作成処理を用いて、まず特別図柄１の図柄表示データを作成する。この場合は、まずレジスタにセットした特別図柄１変動中フラグの内容が５ＡＨ（特別図柄１が変動中）であるか否かをチェックする（ステップＳ６４１）。
【０５６２】
　特別図柄１変動中フラグが５ＡＨである場合（特別図柄１が変動中の場合）は、ＲＡＭワーク領域Ｗ＿Ｔ１ＺＣＮＴにある特別図柄１変動カウンタの値をＨＬレジスタにロードして、そのＨＬレジスタ（特別図柄１変動カウンタ）の値を＋１（１加算）する（ステップＳ６４２）。
【０５６３】
　ここで「変動カウンタ」とは、特別図柄１または特別図柄２について、それぞれ二種類の図柄「・」と「−」を交互に切替表示することを目的として、ＬＥＤの表示データ（点滅と点灯）を切替制御するために用いられる切替タイミング作成用のカウンタである。この変動カウンタは、特別図柄が変動中（変動表示の期間中）であれば、その期間中、主制御側タイマ割込処理（図８）の割込み周期である４ｍｓ毎に＋１され、そのカウンタ値が増加して行き（図５８のステップＳ６４２）、特別図柄の変動表示の期間（変動時間）が終了するとクリアされる（図２０のステップＳ４５３）。このため変動カウンタのカウント動作、したがって後述する変動カウンタのＢｉｔ５の出力の更新動作は、特別図柄の変表示の期間中においてのみ行われる。この変動カウンタには、図５７のステップＳ６３３またはＳ６３６のいずれかで用いられかにより、特別図柄１変動カウンタと特別図柄２変動カウンタという二つの種別がある。図５７のステップＳ６３３で用いられる場合は特別図柄１変動カウンタとして働き、またステップＳ６３６で用いられる場合は特別図柄２変動カウンタとして働く。なお、この変動カウンタは、後述するＬＥＤ出力カウンタ（ステップＳ６５１、Ｓ６６５３、Ｓ６７１参照）とは別のカウンタである。
【０５６４】
　次いで、特別図柄１変動カウンタ（ＨＬレジスタペア）のＢｉｔ５（６ビット目）の値をチェックする（ステップＳ６４３）。特別図柄１変動カウンタは４ｍｓ毎に１回カウントするので、Ｂｉｔ５の２進出力は、３２カウントする１２８ｍｓを周期として「１」と「０」が切り替わる。
【０５６５】
　この特別図柄１変動カウンタのＢｉｔ５が「０」の場合は、ステップＳ６４４に進み、表示図柄「・」用の「変動中データ０」を表示図柄番号（ここでは特別図柄１表示図柄番号Ｗ＿Ｔ１ＺＧＲＮＯ）のエリアにセットする（ステップＳ６４４）。具体的には、相対アドレス値として図６２の停止図柄０番地を指定し、ドット「・」表示用の変動中データ０を、図６１のワーク領域Ｗ＿Ｔ１ＺＧＲＮＯ（特定図柄１表示図柄番号）にセットする（ステップＳ６４４）。このＷ＿Ｔ１ＺＧＲＮＯのエリアに変動中データ０がセットされることにより、特図１表示用ＬＥＤ表示器３８ａに、特定図柄１の停止図柄としてドット「・」が表示されることになる。
【０５６６】
　また、上記ドット「・」が表示されてから１２８ｍｓが経過して、特別図柄１変動カウンタのＢｉｔ５の２進出力が「０」から「１」に切り替わった場合は、ステップＳ６４５に進み、表示図柄「−」用の「変動中データ１」を表示図柄番号（ここでは特別図柄１表示図柄番号Ｗ＿Ｔ１ＺＧＲＮＯ）のエリアにセットする（ステップＳ６４５）。具体的には、相対アドレス値として図６２の停止図柄１番地を指定し、バー「−」表示用の変動中データ１を、図６１のワーク領域Ｗ＿Ｔ１ＺＧＲＮＯ（特定図柄１表示図柄番号）のエリアにセットする（ステップＳ６４５）。このＷ＿Ｔ１ＺＧＲＮＯのエリアに変動中データ１がセットされることにより、特図１表示用ＬＥＤ表示器３８ａに、特定図柄１の停止図柄としてバー「−」が表示されることになる。
【０５６７】
　また、上記バー「−」が表示されてから１２８ｍｓが経過すると、特別図柄１変動カウンタのＢｉｔ５が「１」から「０」に切り替わり、Ｗ＿Ｔ１ＺＧＲＮＯのエリアに変動中データ０がセットされて、特図１表示用ＬＥＤ表示器３８ａに特定図柄１の停止図柄としてドット「・」が表示されることになる。
【０５６８】
　上記した変動カウンタのＢｉｔ５の２進出力が１２８ｍｓを周期として「１」と「０」に切り替わることにより、
図柄変動中においては、第１特別図柄表示装置（特図１表示用ＬＥＤ表示器）３８ａの表示が、１２８ｍｓを周期として「・」と「−」に切り替わる
【０５６９】
　ここで、上記図５３では特別図柄表示用ＬＥＤ表示データテーブルにＡ、Ｂの二種類があるとして説明したが、実際には、ハズレＡ図柄「・」とハズレＢ図柄「−」の図柄表示のために、同じ一つの特別図柄ＬＥＤ出力データテーブルが兼用される。この形態を図６５（ａ）に略示する。ここでは図６２の場合のハズレＡ図柄「・」とハズレＢ図柄「−」の停止図柄データは、変動中データとして１つにまとめて表示され、そして変動中データとして兼用されないハズレ停止図柄データが、ハズレＣ図柄「−」データの１つだけ存在するものとして示されている。
【０５７０】
　このように、ドット「・」とバー「−」の図柄表示のために、同じ特別図柄ＬＥＤ出力データテーブルＡを切り替えの両側で兼用しているため、１２８ｍｓ毎に切り替える先の特別図柄ＬＥＤ出力データテーブル（図６２参照）をドット「・」用とバー「−」用に別々に二種類用意する必要がなく、一種類だけ用意すれば足りる。このことは特別図柄２についての図柄表示データを作成する処理の場合にも当てはまる。すなわち、特別図柄２についての図柄表示データを作成する場合も、図６２と同様に構成された特別図柄２用の特別図柄ＬＥＤ出力データテーブルが一種類だけ用意され、この同じ特別図柄２用の特別図柄ＬＥＤ出力データテーブルが、ドット「・」図柄表示用の切替先データテーブルとして、および、バー「−」図柄表示用の切替先データテーブルとして共通に用いられる。
【０５７１】
　すなわち、特別図柄１の変動表示中の期間においては、特別図柄ＬＥＤ出力データテーブルにおける停止図柄０番地を示す相対アドレスと、停止図柄１番地を示す相対アドレスとを交互に指定して、当該番地の停止図柄データ（図３３の特別停止図柄番号００Ｈと０１Ｈ）を交互にＷ＿Ｔ１ＺＧＲＮＯ領域にセットして使用する。
【０５７２】
　この特別図柄１の変動表示中の期間（たとえば通常変動３ｓの３秒や特殊通常変動１０ｓの１０秒など）が経過すると、特図１表示用ＬＥＤ表示器３８ａにおいて、あらかじめ特別図柄１表示図柄番号で特定された特別図柄１が停止表示される。つまりステップＳ６４１の判断において、変動中フラグが５ＡＨでない（特別図柄１が停止中）と判断された場合には、図６２の特別図柄ＬＥＤ出力データテーブル上の対応する停止図柄データが存在する相対アドレス値を指定し、該当する特別図柄１停止図柄データをワーク領域Ｗ＿Ｔ１ＺＧＲＮＯ（表示図柄番号）にセットする（ステップＳ６４６）。
【０５７３】
　たとえば、特別図柄の停止図柄が図６２の特別図柄ＬＥＤ出力データテーブルにおける１番地の「ハズレＢ」である場合は、その停止図柄１番地を示す相対アドレスを指定して、当該番地の停止図柄データ（図３３の特別停止図柄番号０１Ｈ）をＷ＿Ｔ１ＺＧＲＮＯ領域にセットする。ここでオフセット値１番地にあるハズレＢの場合の停止図柄データは、ハズレＢ図柄「−」を表示するデータであり、これは変動表示中に「・」と「−」を切り替え表示する他方の停止図柄「−」の表示データと兼用されている。また、特別図柄の停止図柄が図６２の特別図柄ＬＥＤ出力データテーブルにおける２番地の「ハズレＣ」である場合は、その２番地を示す相対アドレスを指定して、当該番地の停止図柄データ（図３３の特別停止図柄番号０２Ｈ）をＷ＿Ｔ１ＺＧＲＮＯ領域にセットする。また、図６２の特別図柄ＬＥＤ出力データテーブルにおける３番地の「２Ｒ短開放潜確当り」である場合は、その３番地の相対アドレスを指定して、たとえば停止図柄「２」の停止図柄データ（図３１の特別停止図柄番号０６Ｈ）をＷ＿Ｔ１ＺＧＲＮＯ領域にセットする。その他の停止図柄４番地以降の「２Ｒ短開放潜確当り」「２Ｒ短開放潜確当り」「１０Ｒ長開放確変当り」・・・等の停止図柄を停止表示する場合も同様である。
【０５７４】
　特別図柄が停止表示した後は、特別図柄表示の点滅周期１２８ｍｓより２倍以上長い５００ｍｓの停止状態を維持した後、次の図柄変動表示動作が開始される。
【０５７５】
　特別図柄２についても同様にして、図５７のステップＳ６２４〜Ｓ６２６の処理が行われ、図５８の図柄表示データ作成処理が呼び出される。この図柄表示データ作成処理では、まず図５７のステップＳ６２４で取得した特別図柄２変動中フラグに基づいて特別図柄２が変動中であるか否かがチェックされる。そして、特別図柄２が変動表示中の期間は、特別図柄２変動カウンタが４ｍｓ毎に＋１され、そのＢｉｔ５の出力が「０」の場合は特別図柄２表示図柄番号（特別図柄２表示図柄番号Ｗ＿Ｔ２ＺＧＲＮＯ）のエリアに「・」用の「変動中データ０」がセットされ、「１」の場合は特別図柄２表示図柄番号（特別図柄２表示図柄番号Ｗ＿Ｔ２ＺＧＲＮＯ）のエリアに「−」用の「変動中データ１」がセットされる。これにより、
特図１表示用ＬＥＤ表示器３８ａに、特定図柄１の変動中は「・」と「−」が１２８ｍｓ周期で交互に点灯表示される
【０５７６】
　この特別図柄２の変動表示中の期間が経過すると、ステップＳ６４１からステップＳ６４６に進み、図６２の特別図柄ＬＥＤ出力データテーブル上の対応する停止図柄データが存在する相対アドレス値を指定し、該当する特別図柄１停止図柄データをワーク領域Ｗ＿Ｔ１ＺＧＲＮＯ（表示図柄番号）にセットする（ステップＳ６４６）。これにより特図２表示用ＬＥＤ表示器３８ｂにおいて、あらかじめ特別図柄２表示図柄番号で特定された特別図柄２が停止表示されることになる。そして、特別図柄表示の点滅周期１２８ｍｓより２倍以上長い５００ｍｓの停止状態を維持した後、次の図柄変動表示動作が開始される。」
　イ　「【図２】
」
　ウ　「【図５】
」
　エ　「【図５１】
」
　オ　「【図５３】
」
　カ　上記アの【０５０５】には、「遊技盤の非遊技領域、ここでは遊技盤３の右上縁付近には、接近して設けられた複数個のＬＥＤにより構成される各種機能表示部が設けられている。」と記載されているところ、そのような複数個のＬＥＤの具体例として、上記アの【０５０８】には、特図１表示用ＬＥＤ表示器３８ａを構成するＬＥＤ群、特図２表示用ＬＥＤ表示器３８ｂを構成するＬＥＤ群、及び保留複合表示用ＬＥＤ表示器３８ｃを構成するＬＥＤ群が記載されている。そして、上記イないしエの図２、図５及び図５１の記載からは、特図１表示用ＬＥＤ表示器３８ａ、特図２表示用ＬＥＤ表示器３８ｂ、及び保留複合表示用ＬＥＤ表示器３８ｃが遊技盤３の前面側に備えることが看取できる。そうすると、上記【０５０５】及び【０５０８】の記載事項と、上記図２、図５及び図５１の記載とからみて、
特図１表示用ＬＥＤ表示器３８ａを構成するＬＥＤ群、特図２表示用ＬＥＤ表示器３８ｂを構成するＬＥＤ群、及び保留複合表示用ＬＥＤ表示器３８ｃを構成するＬＥＤ群を有する各種機能表示部を遊技盤３の前面側に備え
　キ　上記アの【０５６８】には、「図柄変動中においては、第１特別図柄表示装置（特図１表示用ＬＥＤ表示器）３８ａの表示が、１２８ｍｓを周期として「・」と「−」に切り替わる」と記載されており、上記アの【０５７５】には、「特図１表示用ＬＥＤ表示器３８ａに、特定図柄１の変動中は「・」と「−」が１２８ｍｓ周期で交互に点灯表示される」と記載されている。ここで、後者の記載事項は、その前後の文脈から、「特図１表示用ＬＥＤ表示器３８ａ」は「特図２表示用ＬＥＤ表示器３８ｂ」の、「特定図柄１」は「特定図柄２」の誤記であることは明らかである。そして、上記オの図５３の記載からは、特図１表示用ＬＥＤ表示器３８ａと特図２表示用ＬＥＤ表示器３８ｂとが、それぞれ７セグメントＬＥＤからなることが看取できる。そうすると、上記【０５６８】及び【０５７５】の記載事項と、上記図５３の記載とからみて、
特別図柄１の変動中においては、７セグメントＬＥＤからなる特図１表示用ＬＥＤ表示器３８ａに、「・」と「−」とが交互に点灯表示され、特別図柄２の変動中においては、７セグメントＬＥＤからなる特図２表示用ＬＥＤ表示器３８ｂに、「・」と「−」とが交互に点灯表示される
　ク　上記アないしキの記載内容からみて、引用例には、次の発明（以下「引用発明」という。）が記載されている。なお、ａないしｈについては本願補正発明のＡないしＨに対応させて付与し、引用箇所の段落番号等を併記した。
「ａ　特図１表示用ＬＥＤ表示器３８ａを構成するＬＥＤ群、特図２表示用ＬＥＤ表示器３８ｂを構成するＬＥＤ群、及び保留複合表示用ＬＥＤ表示器３８ｃを構成するＬＥＤ群を有する各種機能表示部を遊技盤３の前面側に備え（【０５０５】、【０５０８】、図２、図５、図２１、上記カ）、
ｂ　特図１表示用ＬＥＤ表示器３８ａ及び特図２表示用ＬＥＤ表示器３８ｂと、保留複合表示用ＬＥＤ表示器３８ｃは、ダイナミック点灯駆動される（【０５４０】）
ｃ　パチンコ遊技機であって（【００１９】、図２）、
ａ　前記各種機能表示部は、
ｄ、ｅ　特図１表示用ＬＥＤ表示器３８ａ、特図２表示用ＬＥＤ表示器３８ｂ、及び保留複合表示用ＬＥＤ表示器３８ｃを含み（【０５０５】、【０５０８】）、特図１表示用ＬＥＤ表示器３８ａ及び特図２表示用ＬＥＤ表示器３８ｂの点滅周期と、保留複合表示用ＬＥＤ表示器３８ｃの点滅周期とは互いに異なっており（【０５４１】）、
ｆ　特別図柄表示用ＬＥＤ表示器３８ａ、３８ｂは、特別図柄変動表示ゲームにおいて、特別図柄を停止表示し（【０５１４】）、
ｇ　保留複合表示用ＬＥＤ表示器３８ｃは、特別図柄１作動保留球数や特別図柄２作動保留球数を表示し（【０５２０】、【０５２２】）、
ｈ　特別図柄１の変動中においては、７セグメントＬＥＤからなる特図１表示用ＬＥＤ表示器３８ａに、「・」と「−」とが交互に点灯表示され、特別図柄２の変動中においては、７セグメントＬＥＤからなる特図２表示用ＬＥＤ表示器３８ｂに、「・」と「−」とが交互に点灯表示される（【０５６８】、【０５７５】、図５３、上記キ）、
ｃ　パチンコ遊技機（【００１９】、図２）。」
（３）対比
　ア　本願補正発明と引用発明とを対比する。なお、以下の見出し（ａ）ないし（ｈ）は、本願補正発明のＡないしＨに対応させている。
（ａ）引用発明における「特図１表示用ＬＥＤ表示器３８ａを構成するＬＥＤ群、特図２表示用ＬＥＤ表示器３８ｂを構成するＬＥＤ群、及び保留複合表示用ＬＥＤ表示器３８ｃを構成するＬＥＤ群」は、本願補正発明における「ＬＥＤ」に相当する。ここで、引用発明における「各種機能表示部」は、「特図１表示用ＬＥＤ表示器３８ａを構成するＬＥＤ群、特図２表示用ＬＥＤ表示器３８ｂを構成するＬＥＤ群、及び保留複合表示用ＬＥＤ表示器３８ｃを構成するＬＥＤ群」を一括して表示する表示装置といえるから、本願補正発明における「一括表示装置」に相当するといえる。そうすると、引用発明における「特図１表示用ＬＥＤ表示器３８ａを構成するＬＥＤ群、特図２表示用ＬＥＤ表示器３８ｂを構成するＬＥＤ群、及び保留複合表示用ＬＥＤ表示器３８ｃを構成するＬＥＤ群を有する各種機能表示部を遊技盤３の前面側に備え」ることは、本願補正発明における「ＬＥＤを有する一括表示装置を前面側に備え」ることに相当するといえるから、引用発明の特定事項ａは、本願補正発明の特定事項Ａに相当する。
（ｂ）引用発明における「ダイナミック点灯駆動」は、本願補正発明における「ダイナミック点灯制御」に相当するといえるから、引用発明における「特図１表示用ＬＥＤ表示器３８ａ及び特図２表示用ＬＥＤ表示器３８ｂと、保留複合表示用ＬＥＤ表示器３８ｃとは、ダイナミック点灯駆動される」ことは、本願補正発明における「ダイナミック点灯制御により前記ＬＥＤの点灯制御を行う」ことに相当するといえる。そうすると、引用発明の特定事項ｂは、本願補正発明の特定事項Ｂに相当する。
（ｃ）引用発明における「パチンコ遊技機」は、本願補正発明における「遊技機」に相当するといえるから、引用発明の特定事項ｃは、本願補正発明の特定事項Ｃに相当する。
（ｄ）（ｅ）上記（ａ）より、特図１表示用ＬＥＤ表示器３８ａ、特図２表示用ＬＥＤ表示器３８ｂ、及び保留複合表示用ＬＥＤ表示器３８ｃが、各種機能表示部に設けられることは明らかである。そして、それらは、いずれもＬＥＤ群から構成されるものであるから、ＬＥＤブロックとも呼称し得るものであるといえる。さらに、引用発明の特定事項ｄ、ｅより、引用発明は、「特図１表示用ＬＥＤ表示器３８ａ及び特図２表示用ＬＥＤ表示器３８ｂの点滅周期と、保留複合表示用ＬＥＤ表示器３８ｃの点滅周期とは互いに異なって」いるものであるから、本願補正発明における、「第１のＬＥＤブロック」が「第１のタイミングで点灯態様を更新可能」であって、かつ、「第２のＬＥＤブロック」が「前記第１のタイミングと異なる第２のタイミングで点灯態様を更新可能」であることも具備しているといえる。そうすると、引用発明の特定事項ｄ、ｅは、本願補正発明の特定事項Ｄ、Ｅに相当する。
（ｆ）引用発明における「特別図柄変動表示ゲームにおいて、特別図柄を停止表示」することは、本願補正発明における「変動表示ゲームの図柄表示を行う」ことに相当するといえるから、引用発明における「特別図柄変動表示ゲームにおいて、特別図柄を停止表示」する「特別図柄表示用ＬＥＤ表示器３８ａ、３８ｂ」は、本願補正発明における「変動表示ゲームの図柄表示をおこなう図柄表示ＬＥＤ」に相当するといえる。また、上記（ｄ）（ｅ）より、特図１表示用ＬＥＤ表示器３８ａ及び特図２表示用ＬＥＤ表示器３８ｂがＬＥＤブロックとも呼称し得るものであることは明らかであるから、引用発明は、本願補正発明における「図柄表示ＬＥＤを前記第１のＬＥＤブロックに配置」することも具備するといえる。そうすると、引用発明の特定事項ｆは、本願補正発明の特定事項Ｆに相当する。
（ｇ）引用発明における「特別図柄１作動保留球数や特別図柄２作動保留球数を表示」することは、本願補正発明における「前記変動表示ゲームの保留表示をおこなう」ことに相当するといえるから、引用発明における「特別図柄１作動保留球数や特別図柄２作動保留球数を表示」する「保留複合表示用ＬＥＤ表示器３８ｃ」は、本願補正発明における「前記変動表示ゲームの保留表示をおこなう保留表示ＬＥＤ」に相当するといえる。また、上記（ｄ）（ｅ）より、保留複合表示用ＬＥＤ表示器３８ｃがＬＥＤブロックとも呼称し得るものであることは明らかであるから、引用発明は、本願補正発明における「保留表示ＬＥＤを前記第２のＬＥＤブロックに配置」することを具備するといえる。そうすると、引用発明の特定事項ｇは、本願補正発明の特定事項Ｇに相当する。
（ｈ）引用発明における「特別図柄１の変動中」または「特別図柄２の変動中」は、本願補正発明における「変動表示中」に相当するといえる。また、上記（ｆ）より、引用発明における「特別図柄表示用ＬＥＤ表示器３８ａ、３８ｂ」は、本願補正発明における「前記図柄表示ＬＥＤ」に相当するといえる。さらに、引用発明は、「変動中において」「「・」と「−」とが交互に点灯表示され」ることは、本願補正発明における「変動表示中において・・・いずれかのタイミングで点灯態様を変更する」ことに相当するといえる。そうすると、引用発明の特定事項ｈと、本願補正発明の特定事項Ｈとは、「Ｈ’前記図柄表示ＬＥＤを構成するＬＥＤが変動表示中において、いずれかのタイミングで点灯態様を変更する」点で共通する。
　イ　上記アからみて、本願補正発明と引用発明とは、
「Ａ　ＬＥＤを有する一括表示装置を前面側に備え、
　Ｂ　ダイナミック点灯制御により前記ＬＥＤの点灯制御をおこなう
　Ｃ　遊技機であって、
　Ａ　前記一括表示装置は、
　Ｄ　第１のタイミングで点灯態様を更新可能な第１のＬＥＤブロックと、
　Ｅ　前記第１のタイミングと異なる第２のタイミングで点灯態様を更新可能な第２のＬＥＤブロックとを含み、
　Ｆ　変動表示ゲームの図柄表示をおこなう図柄表示ＬＥＤを前記第１のＬＥＤブロックに配置し、
　Ｇ　前記変動表示ゲームの保留表示をおこなう保留表示ＬＥＤを前記第２のＬＥＤブロックに配置し、
　Ｈ’前記図柄表示ＬＥＤを構成するＬＥＤが変動表示中において、いずれかのタイミングで点灯態様を変更する、
　Ｃ　遊技機。」
である点で一致し、次の点で相違する。
・相違点１（特定事項Ｈ）
　変動表示中におけるＬＥＤの点灯態様の変更に関し、
　本願補正発明では、「変動表示中」に「点灯態様を変更する」ＬＥＤが、「前記図柄表示ＬＥＤを構成するすべてのＬＥＤ」であって、その「点灯態様を変更する」動作が、「前記すべてのＬＥＤのうち全部のＬＥＤの同時点灯を除く複数のＬＥＤの同時点灯の２以上の組合せを含む点灯パターンにより、前記すべてのＬＥＤが１つずつ点灯するよりも短い時間内のいずれかのタイミング」でなされるのに対し、
　引用発明では、特別図柄１または特別図柄２の変動中において、特図１表示用ＬＥＤ表示器３８ａまたは特図２表示用ＬＥＤ表示器３８ｂに、「・」と「−」とが交互に点灯表示されるものの、その点灯表示されるＬＥＤが、表示器３８ａまたは表示器３８ｂを構成する全てのＬＥＤではなく、本願補正発明のような動作で点灯態様を変更しない点。
（４）判断
　ア　相違点１について検討する。
（ア）遊技機において、例えば７セグメントＬＥＤのような図柄表示ＬＥＤを構成する全てのＬＥＤが変動表示中において、前記全てのＬＥＤのうち全部のＬＥＤの同時点灯を除く複数のＬＥＤの同時点灯の２以上の組合せを含む点灯パターンにより、前記全てのＬＥＤが１つずつ点灯するよりも短い時間内のいずれかのタイミングで点灯態様を変更することは、例えば、特開２０１４−１９８１６０号公報の【０００１】、【００２６】、【００６４】−【００６５】、図５（ｅ）（１周期を構成する６つのパターン（うち、２つのパターンでは２以上のセグメントが同時点灯。）により、図柄表示を構成する全てのＬＥＤが点灯態様を変更することに留意。）等、特開２０１５−１４４９３４号公報の【０００１】、【０１０７】−【０１０８】、図９等（「縦横移動パターン」の場合は、「パターン１」から始まって「パターン６」までの６つのパターン（うち、４つのパターンでは２以上のセグメントが同時点灯。）により、「斜め移動パターン」の場合は、「パターン１」から始まって「パターン４」までの４つのパターン（それらの全てのパターンで２以上のセグメントが同時点灯。）により、図柄表示を構成する全てのＬＥＤが点灯態様を変更することに留意。）、特開平８−１０４０５号公報の【０００１】、【０１０７】、図１１等（「０」から始まって「２」までの３つのパターン（それらの全てのパターンで２以上のセグメントが同時点灯。）により、図柄表示を構成する全てのＬＥＤの点灯態様が変更されることに留意。）に記載のように、本願の出願前に周知（以下「周知技術１」という。）である。
（イ）ここで、引用発明において、特図１表示用ＬＥＤ表示器３８ａと特図２表示用ＬＥＤ表示器３８ｂとが、それぞれ７セグメントＬＥＤからなるものであるところ、引用発明も周知技術１も変動表示中に点灯態様を変更する図柄表示ＬＥＤが７セグメントＬＥＤからなる点で共通するものである。そうすると、引用発明において、特別図柄１または特別図柄２の変動中に、７セグメントＬＥＤからなる特図１表示用ＬＥＤ表示器３８ａまたは特図２表示用ＬＥＤ表示器３８ｂを点灯表示するにあたり、周知技術１を採用して、上記相違点１に係る本願補正発明の特定事項のようになすことは、当業者が予測し得ない顕著な効果を奏することではなく、具体化のための設計事項の範囲内である。
　イ　以上のとおりであるから、引用発明において、相違点１に係る本願補正発明の特定事項のようになすことは、当業者が周知技術１に基づいて容易に想到し得たことである。
　ウ　本願補正発明の奏する効果は、引用発明の奏する効果及び周知技術１の奏する効果から予測することができた程度のものである。
（５）審判請求人の主張について
　ア　審判請求人は、審判請求書において、概略以下の通り主張している。
「（３）本願発明が特許されるべき理由
　　・・・略・・・
（ｄ）本願発明と引用発明との対比 
　本願発明と引用刊行物１に記載の発明とは、「ＬＥＤを有する一括表示装置を前面側に備え、ダイナミック点灯制御により前記ＬＥＤの点灯制御をおこなう遊技機であって、前記一括表示装置は、第１のタイミングで点灯態様を更新可能な第１のＬＥＤブロックと、前記第１のタイミングと異なる第２のタイミングで点灯態様を更新可能な第２のＬＥＤブロックとを含み、変動表示ゲームの図柄表示をおこなう図柄表示ＬＥＤを前記第１のＬＥＤブロックに配置し、前記変動表示ゲームの保留表示をおこなう保留表示ＬＥＤを前記第２のＬＥＤブロックに配置し」に相当する構成を有する点で一致し、引用刊行物１に記載の発明が「前記図柄表示ＬＥＤを構成するすべてのＬＥＤが変動表示中において、前記すべてのＬＥＤのうち全部のＬＥＤの同時点灯を除く複数のＬＥＤの同時点灯の２以上の組合せを含む点灯パターンにより、前記すべてのＬＥＤが１つずつ点灯するよりも短い時間内のいずれかのタイミングで点灯態様を変更する」に相当する構成を有しない点で相違している。 
　また、引用刊行物１及び引用刊行物２は、「前記図柄表示ＬＥＤを構成するすべてのＬＥＤが変動表示中において、前記すべてのＬＥＤのうち全部のＬＥＤの同時点灯を除く複数のＬＥＤの同時点灯の２以上の組合せを含む点灯パターンにより、前記すべてのＬＥＤが１つずつ点灯するよりも短い時間内のいずれかのタイミングで点灯態様を変更する」について一切の開示も示唆もない。 
　引用刊行物１に記載の発明は、特別図柄の「変動中」を図柄の表示データ「−」と「・」とを交互表示することを開示するだけであり、図柄表示ＬＥＤを構成するすべてのＬＥＤの点灯態様を変更するということをしていない。したがって、引用刊行物１に記載の発明は、「−」と「・」に相当するＬＥＤ以外のＬＥＤの動作確認を変動表示中におこなうことができない。 
　また、引用刊行物２は、７個のセグメントの全点灯と、中央の１個のセグメントの点灯を繰り返す「特図の変動表示」を行うことを開示する。引用刊行物２もまた、中央の１個のセグメントについて消灯タイミングがなく、図柄表示ＬＥＤの動作確認を変動表示中におこなうことができない。 
　すなわち、引用刊行物１、２のいずれも変動表示中にＬＥＤの動作を確認可能にするという技術思想を有していない。 
　一方で、本願発明は、図柄表示ＬＥＤを構成するすべてのＬＥＤの点灯態様を変更するということをしているから、常時点灯のＬＥＤや常時消灯のＬＥＤを異常なＬＥＤとして容易に発見可能にする。 
　さらに本願発明は、変動表示中にＬＥＤの動作を確認可能にするという技術思想を有したうえで、すべてのＬＥＤが１つずつ点灯するよりも短い時間内でＬＥＤの動作を確認可能にするために、すべてのＬＥＤのうち全部のＬＥＤの同時点灯を除く複数のＬＥＤの同時点灯の２以上の組合せを含む点灯パターンを採用するものである。 
　これにより、本願発明は、すべてのＬＥＤが１つずつ点灯するよりも短い時間内でＬＥＤの動作を確認可能にし、変動表示ゲームに関して容易に正常動作を確認できるものである。 
　したがって、当業者は、引用刊行物１、２から変動表示中にＬＥＤの動作を確認可能にするという技術思想に接することはできないし、当然、すべてのＬＥＤが１つずつ点灯するよりも短い時間内でＬＥＤの動作を確認可能にすることにも想到することができない。」
　イ　しかしながら、上記（４）で示したとおり、引用発明も周知技術１も変動表示中に点灯態様を変更する図柄表示ＬＥＤが７セグメントＬＥＤからなる点で共通するものであるところ、引用発明において、特別図柄１または特別図柄２の変動中に、７セグメントＬＥＤからなる特図１表示用ＬＥＤ表示器３８ａまたは特図２表示用ＬＥＤ表示器３８ｂを点灯表示するにあたり、「前記図柄表示ＬＥＤを構成するすべてのＬＥＤが変動表示中において、前記すべてのＬＥＤのうち全部のＬＥＤの同時点灯を除く複数のＬＥＤの同時点灯の２以上の組合せを含む点灯パターンにより、前記すべてのＬＥＤが１つずつ点灯するよりも短い時間内のいずれかのタイミングで点灯態様を変更する」ことは、７セグメントＬＥＤに関する周知技術１に基づいて、当業者が容易に想到し得たことであるといえるから、審判請求人の主張を採用することはできない。
　ウ　また、審判請求人は、上申書において、以下のとおり主張している。
「（２）特許法第１７条の２第３項の規定違反について
　審査官殿は、「請求項１には「
前記図柄表示ＬＥＤを構成するすべてのＬＥＤが変動表示中において、
点灯態様を変更する
　なお、出願人が主張した補正の根拠は、審査官の便宜を図るためにより適切な補正箇所を示したものです。
　また、請求項１には、「前記一括表示装置は、第１のタイミングで点灯態様を更新可能な第１のＬＥＤブロックと、前記第１のタイミングと異なる第２のタイミングで点灯態様を更新可能な第２のＬＥＤブロックとを含み」なる発明特定事項の記載があります。
　また、図柄表示ＬＥＤの構成を説明した段落番号〔００８３〕、及び図面第５図の記載、たとえば、「特図１図柄表示部５３は、ＬＥＤ＿０６からＬＥＤ＿１３の８個のＬＥＤの点灯態様により、特図１ゲームにおける図柄を表示する。」等の記載があります。
　したがって、当該補正は、願書に最初に添付した明細書、特許請求の範囲又は図面に記載した事項の範囲内においてしたものであり、特許法第１７条の２第３項の規定に違反するものではありません。
　　・・・略・・・
　（３）特許法第３６条第６項第２号について
　審査官殿は、「請求項１には「前記図柄表示ＬＥＤを構成するすべてのＬＥＤが変動表示中において、
前記すべてのＬＥＤのうち全部のＬＥＤの同時点灯を除く
前記すべてのＬＥＤが１つずつ点灯するよりも短い時間内
　しかしながら、請求項１に記載の「前記すべてのＬＥＤが１つずつ点灯する」との発明特定事項は、すべてのＬＥＤが１つずつ点灯する場合に要する時間を規定したものであり、すなわち、ＬＥＤの数によって変わり得る時間を規定するものであり不明確なところはないものと思料いたします。」
　エ　しかしながら、本願補正発明は、「前記すべてのＬＥＤのうち全部のＬＥＤの同時点灯を除く複数のＬＥＤの同時点灯の２以上の組合せを含む点灯パターンにより」「点灯態様を変更する」ことを特定するものであるところ、その「点灯態様を」「点灯パターンにより」「変更する」ものであることは文言上明らかであるから、例えば、フルカラーＬＥＤにおけるカラーの変更等のような、新たな技術的事項を導入するものであるとは認められない。また、本願補正発明における「前記すべてのＬＥＤが１つずつ点灯する」との特定事項は、すべてのＬＥＤが同時点灯することを意味せず、すべてのＬＥＤが１つずつ
順に
　以上から、合議体は、本願が特許法第１７条の２第３項及び特許法第３６条第２項の規定を満たすものと判断し、上述のとおり、本願補正発明が特許法第２９条第２項の規定により、特許出願の際独立して特許を受けることができるか否かを検討した。
（６）独立特許要件のむすび
　以上のとおりであるから、本願補正発明は、当業者が引用例に記載された発明に基づいて容易に想到することができたものである。
　よって、本願補正発明は、特許法第２９条第２項の規定により、特許出願の際独立して特許を受けることができないものである。
４　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１２６条第７項の規定に違反するので、同法第１５９条第１項において読み替えて準用する同法第５３条第１項の規定により却下すべきものである。
第３　本願発明について
１　本願発明 
（１）本件補正は上記第２のとおり却下されたので、本願の請求項１に係る発明（以下「本願発明」という。）は、平成２９年１０月６日付けで補正された、上記第２〔理由〕１（１）に本件補正前の請求項１として記載したとおりのものである。
（２）ここで、本願発明を再掲すると、次のとおりのものである。なお、記号ＡないしＧ及びＨ−２は、分説するため合議体が付した。
「Ａ　ＬＥＤを有する一括表示装置を前面側に備え、
　Ｂ　ダイナミック点灯制御により前記ＬＥＤの点灯制御をおこなう
　Ｃ　遊技機であって、
　Ａ　前記一括表示装置は、
　Ｄ　第１のタイミングで点灯態様を更新可能な第１のＬＥＤブロックと、　Ｅ　前記第１のタイミングと異なる第２のタイミングで点灯態様を更新可能な第２のＬＥＤブロックとを含み、
　Ｆ　変動表示ゲームの図柄表示をおこなう図柄表示ＬＥＤを前記第１のＬＥＤブロックに配置し、
　Ｇ　前記変動表示ゲームの保留表示をおこなう保留表示ＬＥＤを前記第２のＬＥＤブロックに配置し、
　Ｈ−２　前記図柄表示ＬＥＤを構成するすべてのＬＥＤが変動表示中においていずれかのタイミングで点灯する、
　Ｃ　遊技機。」
２　原査定の理由の概略　
　原査定の拒絶の理由は、この出願の平成２９年１０月６日に提出された手続補正書により補正された請求項１に係る発明は、その出願前に日本国内又は外国において頒布され又は電気通信回線を通じて公衆に利用可能となった下記引用文献１に記載された発明と周知技術とに基いて、その出願前にその発明の属する技術の分野における通常の知識を有する者が容易に発明をすることができたものであるから、特許法第２９条第２項の規定により特許を受けることができない、というものである。
　　　　　　　　　　　　　　　　記
　引用文献１．特開２０１３−１５３８８７号公報
　引用文献２．特開２０１５−６２３９号公報（周知技術を示す文献）
　引用文献３．特開２０１５−１２３１０３号公報（周知技術を示す文献）
３　引用文献
　引用文献１（引用例）の記載事項は、上記第２〔理由〕３（２）に記載したとおりである。
４　対比・判断
　ア　本願発明と引用発明とを対比すると、本願発明のＡないしＧについては、上記第２〔理由〕３（３）の（ａ）ないし（ｇ）で示したように、本願補正発明と引用発明との対比結果のとおりであって、本願発明のＨ−２については、以下の見出し（ｈ−２）に示すとおりである。
（ｈ−２）引用発明における「特別図柄１の変動中」または「特別図柄２の変動中」は、本願発明における「変動表示中」に相当し、上記（ｆ）のとおり、引用発明における「特別図柄表示用ＬＥＤ表示器３８ａ、３８ｂ」は、本願発明における「前記図柄表示ＬＥＤ」に相当するといえる。さらに、引用発明は、「変動中において」「「・」と「−」とが交互に点灯表示され」ることは、本願発明における「ＬＥＤが変動表示中においていずれかのタイミングで点灯する」ことに相当するといえる。そうすると、引用発明の特定事項ｈと、本願発明の特定事項Ｈ−２とは、「Ｈ−２’前記図柄表示ＬＥＤを構成するＬＥＤが変動表示中においていずれかのタイミングで点灯する」点で共通する。
　イ　上記アからみて、本願発明と引用発明とは、
「Ａ　ＬＥＤを有する一括表示装置を前面側に備え、
　Ｂ　ダイナミック点灯制御により前記ＬＥＤの点灯制御をおこなう
　Ｃ　遊技機であって、
　Ａ　前記一括表示装置は、
　Ｄ　第１のタイミングで点灯態様を更新可能な第１のＬＥＤブロックと、　Ｅ　前記第１のタイミングと異なる第２のタイミングで点灯態様を更新可能な第２のＬＥＤブロックとを含み、
　Ｆ　変動表示ゲームの図柄表示をおこなう図柄表示ＬＥＤを前記第１のＬＥＤブロックに配置し、
　Ｇ　前記変動表示ゲームの保留表示をおこなう保留表示ＬＥＤを前記第２のＬＥＤブロックに配置し、
　Ｈ−２’前記図柄表示ＬＥＤを構成するすべてのＬＥＤが変動表示中においていずれかのタイミングで点灯する、
　Ｃ　遊技機。」
である点で一致し、次の点で相違する。
・相違点２（特定事項Ｈ−２）
　変動表示中におけるＬＥＤの点灯態様の変更に関し、
　本願発明では、「変動表示中」に「点灯態様を変更する」ＬＥＤが、「前記図柄表示ＬＥＤを構成するすべてのＬＥＤ」であるのに対し、
　引用発明では、特別図柄１または特別図柄２の変動中において、特図１表示用ＬＥＤ表示器３８ａまたは特図２表示用ＬＥＤ表示器３８ｂに、「・」と「−」とが交互に点灯表示されるものの、その点灯表示されるＬＥＤが、表示器３８ａまたは表示器３８ｂを構成する全てのＬＥＤではない点。
　ウ　相違点２について検討する。
　遊技機において、例えば７セグメントＬＥＤのような図柄表示ＬＥＤを構成するすべてのＬＥＤが変動表示中においていずれかのタイミングで点灯することは、原査定の拒絶の理由において周知例として示した、特開２０１５−６２３９号公報（上記引用文献２。【０２１７】ないし【０２１８】、図２０、図２１等を参照。）や特開２０１５−１２３１０３号公報（上記引用文献３。【００６５】等を参照。）だけでなく、上記第２〔理由〕１（３）イで相違点１に対する周知例として示した、特開２０１４−１９８１６０号公報（【０００１】、【００２６】、【００６４】−【００６５】、図５（ｅ）等を参照。）、特開２０１５−１４４９３４号公報（【０００１】、【０１０７】−【０１０８】、図９等を参照。）、特開平８−１０４０５号公報（【０００１】、【０１０７】、図１１等を参照。）にも記載のように、本願の出願前に周知（以下「周知技術２」という。）である。
　エ　また、引用発明において、特図１表示用ＬＥＤ表示器３８ａと特図２表示用ＬＥＤ表示器３８ｂとが、それぞれ７セグメントＬＥＤからなるものであるところ、引用発明も周知技術２も、変動表示中に点灯態様を変更する図柄表示ＬＥＤが７セグメントＬＥＤからなる点で共通するものである。そうすると、引用発明において、特別図柄１または特別図柄２の変動中に、７セグメントＬＥＤからなる特図１表示用ＬＥＤ表示器３８ａまたは特図２表示用ＬＥＤ表示器３８ｂを点灯表示するにあたり、周知技術２を採用して、上記相違点２に係る本願発明の特定事項のようになすことは、当業者が予測し得ない顕著な効果を奏することではなく、具体化のための設計事項の範囲内である。
　オ　そうすると、本願発明は、当業者が引用発明と周知技術２とに基づいて容易に想到することができたものである。
５　むすび　
　以上のとおり、本願発明は、当業者が引用発明と周知技術２とに基づいて容易に発明をすることができたものであるから、特許法第２９条第２項の規定により特許を受けることができない。
　よって、結論のとおり審決する。